(57)【要約】【課題】ケース本体やテープリールの強度を確保しつつテープリールの芯ズレ量を僅かな値に抑え、しかも回転するテープリールとロックロック部材との間の干渉を回避する。【解決手段】ハブ１５にフランジ１６，１７が配設されると共にハブ１５にテープが巻回された状態でケース本体２の内部に収納されるテープリール３と、ハブ１５内に収納されてテープリール３の回転を制止するロック位置とテープリール３の回転を許容するロック解除位置との間をハブ１５の軸線Ｓ方向に沿って移動可能なロック部材４と、ハブ１５の内面に配設されて、ロック位置に位置する際におけるロック部材４に対するハブ１５のその半径方向への相対的な移動を規制すると共に、ロック解除位置に位置する際におけるロック部材４に対するハブ１５の半径方向への相対的な移動を許容する規制壁１５ｃとを備えている。【選択図】        図２
2004265521.tif 000002
【特許請求の範囲】
【請求項１】
上ケースおよび下ケースから構成されるケース本体と、有底円筒状のハブに一対のフランジが配設されると共に当該ハブにテープが巻回された状態で前記ケース本体の内部に収納される単一のテープリールと、
前記ハブ内に収納されて前記テープリールの回転を制止するロック位置と当該テープリールの回転を許容するロック解除位置との間を当該ハブの軸線方向に沿って移動可能なロック部材と、
前記ハブの内面および前記ロック部材の少なくとも一方に配設されて、前記ロック位置に位置する際における当該ロック部材に対する当該ハブのその半径方向への相対的な移動を規制すると共に、前記ロック解除位置に位置する際における当該ロック部材に対する当該ハブの前記半径方向への相対的な移動を許容する規制手段とを備えているテープカートリッジ。
【請求項２】
前記規制手段は、前記ハブの内面に立設されると共に、前記ロック位置に位置する際の前記ロック部材の外周面に接触して前記半径方向への前記相対的な移動を規制する規制壁で構成されている請求項１記載のテープカートリッジ。
【請求項３】
前記規制壁は、前記ロック部材側の端面が前記ハブの前記軸線に近づくに従って当該ハブの内底面に向けて傾斜する斜面に形成されている請求項２記載のテープカートリッジ。
【請求項４】
上ケースおよび下ケースから構成されるケース本体と、内底面に第１の歯部が形成された有底円筒状のハブに一対のフランジが配設されると共に当該ハブにテープが巻回された状態で前記ケース本体の内部に収納される単一のテープリールと、
前記ハブ内に収納されると共に前記第１の歯部に噛合可能な第２の歯部が前記内底面側の部位に形成され、かつ当該第２の歯部および前記第１の歯部が互いに噛合して前記テープリールの回転を制止するロック位置と当該第２の歯部および当該第１の歯部の前記噛合が解除されて当該テープリールの回転を許容するロック解除位置との間を当該ハブの軸線方向に沿って移動可能なロック部材とを備え、
前記ロック部材は、円板体に形成されると共にその外周面に前記第２の歯部が形成されて構成され、
前記ハブは、前記ロック部材を前記ロック位置に位置させる際にその内周面が前記第２の歯部に対向するように形成された規制壁が内部に配設されると共に当該内周面に前記第１の歯部が形成されて構成されているテープカートリッジ。
【請求項５】
上ケースおよび下ケースから構成されるケース本体と、内底面に第１の歯部が形成された有底円筒状のハブに一対のフランジが配設されると共に当該ハブにテープが巻回された状態で前記ケース本体の内部に収納される単一のテープリールと、
前記ハブ内に収納されると共に前記第１の歯部に噛合可能な第２の歯部が前記内底面側の部位に形成され、かつ当該第２の歯部および前記第１の歯部が互いに噛合して前記テープリールの回転を制止するロック位置と当該第２の歯部および当該第１の歯部の前記噛合が解除されて当該テープリールの回転を許容するロック解除位置との間を当該ハブの軸線方向に沿って移動可能なロック部材とを備え、
前記ロック部材は、前記内底面側の端面に円筒体が形成されると共に当該円筒体の内周面に前記第２の歯部が形成されて構成され、
前記ハブは、前記ロック部材を前記ロック位置に位置させる際に前記円筒体の内部に進入してその外周面が前記第２の歯部に対向するように形成された規制壁が内部に配設されると共に当該外周面に前記第１の歯部が形成されて構成されているテープカートリッジ。
【発明の詳細な説明】
【０００１】
【発明の属する技術分野】
本発明は、磁気テープが巻回された単一のテープリールをケース本体内に回転可能に収容した１リールタイプのテープカートリッジに関するものである。
【０００２】
【従来の技術】
この種のテープカートリッジとして、特開２００２−３１９２６６号公報に開示されたテープカートリッジが知られている。このテープカートリッジ（１）は、縦置き状態で記録再生装置（ドライブ装置）にセットされた際に、テープリール（リール２）の下方への移動を規制して、記録再生装置の駆動用シャフト（回転駆動部材１１）に対するハブ（リールドラム２１）の芯ズレ量を僅かな値に抑えられるように構成されている。その具体的な一の構成（前者とする）としては、図面（図１，２）に示されるように、ハブ（リールドラム２１）の内周面に補強リブ（２８）が設けられ、ロック部材（４）の外周面と補強リブ（２８）の先端との間の間隔が、テープリール（リール２）とケース本体（カートリッジケース３）との間のクリアランス（Ｃ２）よりも小さい値に設定されている。この場合、補強リブ（２８）は、ロック部材（４）がロック位置とロック解除位置との間で移動したとしても、その先端とロック部材（４）の外周面とが当接可能な長さに規定されている。この構成では、テープリール（リール２）が磁気テープの重みで下方に移動しようとする場合、補強リブ（２８）の先端とロック部材（４）の外周面とが当接してテープリール（リール２）の移動が規制されるため、駆動用シャフト（回転駆動部材１１）に対するハブ（リールドラム２１）の芯ズレ量が僅かな値に抑えられる。
【０００３】
また、他の構成（後者とする）としては、図面（図１１，１２）に示されるように、非使用時にはスプリング（付勢部材５）によってテープリール（リール２）をハブ（リールドラム２１）の軸線方向から圧接せしめるケース本体（カートリッジケース３）の受け面（３２ｂ）と、受け面（３２ｂ）に圧接せしめられるテープリール（リール２）の下面（２２ａ）との間に、非使用時に凹凸嵌合してテープリール（リール２）の半径方向への移動を規制する規制手段（Ｍ）が設けられている。この場合、規制手段（Ｍ）は、下面（２２ａ）に形成された凸条（２２ｂ）と受け面（３２ｂ）に形成された凹溝（３２ｃ）とで構成されている。この構成においても、テープリール（リール２）が磁気テープの重みで下方に移動しようとする場合、凸条（２２ｂ）と凹溝（３２ｃ）とが凹凸嵌合することによってテープリール（リール２）の半径方向への移動が規制されるため、駆動用シャフト（回転駆動部材１１）に対するハブ（リールドラム２１）の芯ズレ量が僅かな値に抑えられる。
【０００４】
【特許文献１】
特開２００２−３１９２６６号公報（第５−７頁、第１，２，１１，１２図）
【０００５】
【発明が解決しようとする課題】
ところが、従来のテープカートリッジには、以下の問題点がある。すなわち、このテープカートリッジ（１）では、ドライブ装置の駆動用シャフト（回転駆動部材１１）によって駆動されたテープリール（リール２）は、全く芯ブレしない状態で回転するのではなく、ある程度芯ブレした状態で回転する。このため、ロック部材（４）がロック解除位置に位置する際において、テープリール（リール２）がある程度自由に半径方向に移動したとしても、ロック部材（４）と干渉しないように構成する必要がある。しかしながら、従来のテープカートリッジにおける前者の構成では、補強リブ（２８）は、ロック部材（４）がロック位置とロック解除位置との間で移動したとしても、その先端とロック部材（４）の外周面との間の間隔がほぼ一定となるように構成されている。したがって、回転駆動部材（１１）に対するハブ（リールドラム２１）の芯ズレ量を僅かな値に抑えようとして、補強リブ（２８）の先端とロック部材（４）の外周面との間の間隔を小さくした場合には、回転するテープリール（リール２）とロック解除位置にあるロック部材（４）との間の間隔が不足して両者が干渉するという問題が生じる。一方、回転するテープリール（リール２）とロック解除位置にあるロック部材（４）との間の間隔を両者が干渉しない程度に大きくした場合には、逆に、ロック部材（４）によるテープリール（リール２）の移動規制が甘くなる結果、回転駆動部材（１１）に対するハブ（リールドラム２１）の芯ズレ量が増大するという問題が生じる。
【０００６】
一方、従来のテープカートリッジにおける後者の構成では、非使用時にのみ凸条（２２ｂ）と凹溝（３２ｃ）とが凹凸嵌合してテープリール（リール２）の半径方向への移動を規制するため、上記した各問題の発生が避けられている。しかしながら、この構成では、ケース本体（カートリッジケース３）の受け面（３２ｂ）に凹溝（３２ｃ）を形成したり、テープリール（リール２）の下面（２２ａ）に凸条（２２ｂ）を形成したりしなければならない。このために、ケース本体（カートリッジケース３）の受け面（３２ｂ）やテープリール（リール２）の下面（２２ａ）の一部を肉薄に形成しなければならない結果、ケース本体（カートリッジケース３）やテープリール（リール２）の強度が低下するという問題が生じる。
【０００７】
本発明は、かかる問題点に鑑みてなされたものであり、ケース本体やテープリールの強度を確保しつつ、回転駆動部材に対するテープリールの芯ズレ量を僅かな値に抑え、しかも回転するテープリールとロック解除位置にあるロック部材との間の干渉を回避し得るテープカートリッジを提供することを主目的とする。
【０００８】
【課題を解決するための手段】
上記目的を達成すべく本発明に係るテープカートリッジは、上ケースおよび下ケースから構成されるケース本体と、有底円筒状のハブに一対のフランジが配設されると共に当該ハブにテープが巻回された状態で前記ケース本体の内部に収納される単一のテープリールと、前記ハブ内に収納されて前記テープリールの回転を制止するロック位置と当該テープリールの回転を許容するロック解除位置との間を当該ハブの軸線方向に沿って移動可能なロック部材と、前記ハブの内面および前記ロック部材の少なくとも一方に配設されて、前記ロック位置に位置する際における当該ロック部材に対する当該ハブのその半径方向への相対的な移動を規制すると共に、前記ロック解除位置に位置する際における当該ロック部材に対する当該ハブの前記半径方向への相対的な移動を許容する規制手段とを備えている。
【０００９】
この場合、本発明に係るテープカートリッジは、前記ハブの内面に立設されると共に前記ロック位置に位置する際の前記ロック部材の外周面に接触して前記半径方向への前記相対的な移動を規制する規制壁で前記規制手段を構成するのが好ましい。
【００１０】
また、本発明に係るテープカートリッジは、前記ロック部材側の端面が前記ハブの前記軸線に近づくに従って当該ハブの内底面に向けて傾斜する斜面となるように前記規制壁を形成するのが好ましい。
【００１１】
また、本発明に係るテープカートリッジは、上ケースおよび下ケースから構成されるケース本体と、内底面に第１の歯部が形成された有底円筒状のハブに一対のフランジが配設されると共に当該ハブにテープが巻回された状態で前記ケース本体の内部に収納される単一のテープリールと、前記ハブ内に収納されると共に前記第１の歯部に噛合可能な第２の歯部が前記内底面側の部位に形成され、かつ当該第２の歯部および前記第１の歯部が互いに噛合して前記テープリールの回転を制止するロック位置と当該第２の歯部および当該第１の歯部の前記噛合が解除されて当該テープリールの回転を許容するロック解除位置との間を当該ハブの軸線方向に沿って移動可能なロック部材とを備え、前記ロック部材は、円板体に形成されると共にその外周面に前記第２の歯部が形成されて構成され、前記ハブは、前記ロック部材を前記ロック位置に位置させる際にその内周面が前記第２の歯部に対向するように形成された規制壁が内部に配設されると共に当該内周面に前記第１の歯部が形成されて構成されている。
【００１２】
また、本発明に係るテープカートリッジは、上ケースおよび下ケースから構成されるケース本体と、内底面に第１の歯部が形成された有底円筒状のハブに一対のフランジが配設されると共に当該ハブにテープが巻回された状態で前記ケース本体の内部に収納される単一のテープリールと、前記ハブ内に収納されると共に前記第１の歯部に噛合可能な第２の歯部が前記内底面側の部位に形成され、かつ当該第２の歯部および前記第１の歯部が互いに噛合して前記テープリールの回転を制止するロック位置と当該第２の歯部および当該第１の歯部の前記噛合が解除されて当該テープリールの回転を許容するロック解除位置との間を当該ハブの軸線方向に沿って移動可能なロック部材とを備え、前記ロック部材は、前記内底面側の端面に円筒体が形成されると共に当該円筒体の内周面に前記第２の歯部が形成されて構成され、前記ハブは、前記ロック部材を前記ロック位置に位置させる際に前記円筒体の内部に進入してその外周面が前記第２の歯部に対向するように形成された規制壁が内部に配設されると共に当該外周面に前記第１の歯部が形成されて構成されている。
【００１３】
【発明の実施の形態】
以下、添付図面を参照して、本発明に係るテープカートリッジの好適な実施の形態について説明する。
【００１４】
まず、本発明に係るテープカートリッジの第１の実施の形態について説明する。
【００１５】
最初に、テープカートリッジ１の構成について、図面を参照して説明する。
【００１６】
テープカートリッジ１は、例えば電子計算機の主記録媒体に記録された記録データのバックアップメディアとして使用される１リールタイプのカートリッジ式記録媒体であって、図１に示すように、ケース本体２、テープリール３、ロック部材４、スプリング５、ブレーキ解除板６およびピン部材７を備えている。なお、テープリール３には、磁気テープが巻回されているが、本発明の実施の形態では、各部の構成についての理解を容易とするために、その図示を省略する。また、磁気テープの先端はピン部材７に巻き付けられて留め具７ａで固定されている。また、ピン部材７は、記録再生装置内のテープの走行路に沿ってテープ巻取りリールまでその記録再生装置によって移動させられる際に、磁気テープをその巻取りリールに案内する。
【００１７】
ケース本体２は、図１に示すように、それぞれ浅皿状に形成され互いに嵌合可能な上ケース１１および下ケース１２と、嵌合状態の上ケース１１および下ケース１２によって形成されるテープ引出し口２ａを閉塞可能なシャッタ部材２ｂとを備えている。また、上ケース１１には、図３に示すように、回転不能で上下動が許容される状態でロック部材４を取り付けるための４本のガイド突起１１ａ，１１ａ・・が、その内面に立設されている。また、下ケース１２には、図１に示すように、記録再生装置の駆動用シャフトを挿通可能とする挿通用孔１２ａが形成されている。
【００１８】
テープリール３は、図１，２に示すように、ハブ１５、上フランジ１６、下フランジ１７および金属板１８を備えている。
【００１９】
ハブ１５は、周囲に磁気テープを巻回可能な有底円筒状に形成されている。また、ハブ１５における底板１５ａの内面（内底面）には、図１，４に示すように、ロック部材４と噛合する円弧状の歯部１５ｂ，１５ｂ・・が、ハブ１５の軸線Ｓを中心とした同一円周上に位置するように複数（一例として３個）配設されている。また、各歯部１５ｂの外周側には、図２，４に示すように、規制手段としての円弧状の規制壁１５ｃがそれぞれ上ケース１１方向に向けて立設されている。この場合、各規制壁１５ｃは、図４に示すように、ハブ１５の軸線Ｓを中心としてロック部材４の外径よりも大径の同一円周上に位置するように配設されると共に、図２に示すように、その先端（同図中の上端）が各歯部１５ｂの先端（同図中の上端）よりも上方に突出して形成されている。また、ハブ１５の底板１５ａには、図１，４，５に示すように、ブレーキ解除板６を上下動可能に取り付けるための挿通用孔１５ｄ，１５ｄ・・が、ハブ１５の軸線Ｓを中心とした同一円周上に位置して複数（一例として３個）形成されている。また、ハブ１５における底板１５ａの外面（外底面）には、図２，５に示すように、記録再生装置における駆動用シャフトの駆動用歯部と噛合する円弧状の駆動用歯部１５ｅ，１５ｅ・・が、ハブ１５の軸線Ｓを中心とした同一円周上に位置するように複数（一例として３個）形成されている。また、底板１５ａの外面における駆動用歯部１５ｅ，１５ｅ・・の内側には、同各図に示すように円形の凹部１５ｆが形成されている。この凹部１５ｆ内には、図２に示すように、テープリール３を磁力によって駆動用シャフトＳに吸引するための金属板１８が取り付けられる。
【００２０】
上フランジ１６は、図１に示すように、ロック部材４およびブレーキ解除板６の挿通を可能とする挿通孔１６ａが中央に形成された円板状に形成されると共に、図２に示すように、ハブ１５における開口側端部（図１中の上端部）に取り付けられて配設されている。下フランジ１７は、円板状に形成されると共に、図１，２に示すように、ハブ１５における底面側端部（図１における下端部）の外周面に一体成形によって配設されている。
【００２１】
ロック部材４は、図１に示すように、各規制壁１５ｃ間への嵌め込みが可能な外径の円板体に形成されると共に、図６に示すように、その底面（ハブ１５の底板１５ａ側の端面）における外縁側に、ハブ１５の歯部１５ｂに噛合可能な歯部４ａが円環状に形成されている。また、ロック部材４は、同図に示すように、ブレーキ解除板６の中央部に当接可能な突起４ｂが底面における中央部に形成されて、ブレーキ解除板６とロック部材４との間の摺動抵抗を軽減するように構成されている。一方、ロック部材４の上面には、図１に示すように、十字形の位置決め用突起４ｃが立設されている。この位置決め用突起４ｃには、上ケース１１における４本のガイド突起１１ａ，１１ａ・・（図１参照）を挿入可能な十字形のガイド溝４ｄが形成されている。また、ロック部材４は、ガイド溝４ｄに突起１１ａ，１１ａ・・が挿入されることにより、上ケース１１に対して回転不能で、かつハブ１５の軸線Ｓに沿って上下動が可能に取り付けられている。また、ロック部材４は、図２に示すように、スプリング５によってハブ１５の底板１５ａに向けて常時付勢されている。この場合、スプリング５は、位置決め用突起４ｃに外嵌された状態でロック部材４と上ケース１１の内面との間に装着されている。
【００２２】
ブレーキ解除板６は、図１に示すように、樹脂製の解除板本体２１と、解除板本体２１の上面中央に取り付けられたステンレス製の円板２２とを備えている。また、解除板本体２１は、その裏面に、３本の脚部２１ｂ，２１ｂ，２１ｂが立設されて構成されている。このように構成されたブレーキ解除板６は、図２，４に示すように、各脚部２１ｂ，２１ｂ，２１ｂがハブ１５の底板１５ａに形成された挿通用孔１５ｄ，１５ｄ，１５ｄに挿通された状態でハブ１５の内側に配設されている。このため、ブレーキ解除板６は、ハブ１５に対してハブ１５の軸線Ｓに沿って上下動は可能であるが、相対回転が不能な状態に配設されている。つまり、ブレーキ解除板６は、テープリール３の回転時にはハブ１５と共に回転させられる。なお、図１に示すように、ロック部材４、スプリング５およびブレーキ解除板６によって本発明におけるブレーキ機構ＢＭが構成される。
【００２３】
次に、テープカートリッジ１の各構成要素の動作について、図面を参照して説明する。
【００２４】
このテープカートリッジ１が記録再生装置から取り出された状態（非使用時）では、図２に示すように、ロック部材４は、スプリング５で付勢されることによってブレーキ解除板６を押動しつつハブ１５の底板１５ａ方向に移動して、その歯部４ａがハブ１５の歯部１５ｂと噛合する位置（ロック位置）に位置している。このため、テープリール３は、ロック部材４によってその回転が制止される。したがって、テープリール３に巻回された磁気テープのケース本体２内における弛みや巻き崩れが防止される。また、ロック部材４がハブ１５の底板１５ａに形成された各規制壁１５ｃ内に入り込んで、ロック部材４の外周面Ａと各規制壁１５ｃとが嵌り合った状態にある。したがって、ロック部材４に対するハブ１５の半径方向へのハブ１５の相対的な移動が規制されている。このため、テープカートリッジ１を誤って落としたことなどに起因してテープカートリッジ１に外力が加わった場合であっても、ハブ１５がロック部材４に対してハブ１５の半径方向に相対的に移動しない（位置ずれしない）結果、テープリール３は、ガイド突起１１ａ，１１ａ・・およびロック部材４によって規定されるケース本体２内の所定位置に位置決めされたままの状態に維持される。また、ロック部材４がロック位置に位置している状態では、ブレーキ解除板６の各脚部２１ｂは、ハブ１５の各挿通用孔１５ｄから底板１５ａの外底面側（下フランジ１７の裏面側）に突出している。
【００２５】
一方、テープカートリッジ１が記録再生装置に装填された際（使用時）には、記録再生装置によってシャッタ部材２ｂがスライドされてテープ引出し口２ａが開口される。次に、駆動用シャフト（図示せず）が磁力によってテープリール３の金属板１８を吸引する際に、ブレーキ解除板６の脚部２１ｂ，２１ｂ，２１ｂが、駆動用シャフトによって上ケース１１側に押し上げられる。このため、ロック部材４は、ブレーキ解除板６によって押動されてガイド突起１１ａ，１１ａ・・のガイドに従って上ケース１１の内面側に向けて押し上げられて、図７に示すように、位置決め用突起４ｃの上端が上ケース１１の内面に近接する位置（ロック解除位置）に移動する。この状態では、ロック部材４の外周面Ａと各規制壁１５ｃとがハブ１５の軸線Ｓの方向で離間することにより、ロック部材４と各規制壁１５ｃとの嵌り合い状態が解除されると共に、ロック部材４の歯部４ａとハブ１５の歯部１５ｂとの噛合が解除される。また、駆動用シャフトの駆動用歯部（図示せず）とテープリール３の駆動用歯部１５ｅとが噛合して、駆動用シャフトがテープリール３をチャッキングする。この際に、同図に示すように、ガイド突起１１ａ，１１ａ・・およびロック部材４によって規定されるケース本体２内の所定位置にテープリール３が常に位置決めされた状態にあるため、駆動用シャフトに対するテープリール３の芯ズレ量は極めて僅かな値に抑えられる。したがって、テープリール３は、駆動用シャフトによってチャッキング不良の生じない良好な状態でチャッキングされて回転可能な状態となる。
【００２６】
この後、駆動用シャフトの回転に応じてテープリール３が回転する。この際には、テープリール３に巻回された磁気テープが記録再生装置によってテープ引出し口２ａからケース本体２の外部に引き出され、これにより、その磁気テープに対する各種記録データの記録または読み出しが実行される。
【００２７】
また、ケース本体２の外部への磁気テープの引き出しや、ケース本体２の内部への巻き戻しによってテープリール３が回転した場合、ロック部材４の外周面Ａと各規制壁１５ｃとがハブ１５の軸線Ｓの方向で離間してロック部材４に対するハブ１５の半径方向へのハブ１５の相対的な移動が許容されている。したがって、この際に、たとえテープリール３が多少芯ブレしたとしても、テープリール３とロック部材４との干渉が確実に回避される。このため、テープリール３のスムーズな回転が担保される。
【００２８】
このように、このテープカートリッジ１によれば、非使用状態では、各規制壁１５ｃとロック部材４とが嵌り合うことにより、ロック部材４およびガイド突起１１ａ，１１ａ・・によって規定されるケース本体２内の所定位置にテープリール３を常に位置決めすることができる。したがって、駆動用シャフトに対するテープリール３の芯ズレ量を極めて僅かな値に常に抑えることができる結果、例えば縦置きにした記録再生装置にテープカートリッジ１を装着した場合であっても、テープリール３および駆動用シャフト間の芯ズレに起因したテープリール３に対する駆動用シャフトのチャッキング不良を確実に防止することができる。また、各規制壁１５ｃをハブ１５の底板１５ａに形成したことにより、下フランジ１７や下ケース１２の一部に凹凸を形成する従来のテープカートリッジとは異なり、下フランジ１７や下ケース１２の一部を肉薄に形成する構成を避けることができる。したがって、ケース本体２およびテープリール３の強度を十分に確保することができる。一方、使用状態では、ロック部材４の外周面Ａと各規制壁１５ｃとがハブ１５の軸線Ｓの方向で離間してロック部材４に対するハブ１５の半径方向へのハブ１５の相対的な移動を許容することにより、テープリール３が多少芯ブレして回転したとしても、テープリール３とロック解除位置にあるロック部材４との干渉を確実に回避することができる。したがって、テープリール３のスムーズな回転を常に担保することができると共に、テープリール３やロック部材４の摩耗も回避することができる。また、ハブ１５における各歯部１５ｂの外周面側に規制壁１５ｃを設けてロック部材４の外周面Ａに接触させるように構成したことにより、従来のテープカートリッジに対して簡単な変更を加えるだけで、規制手段を容易に形成することができる。
【００２９】
また、上記したテープカートリッジ１において、図８に示すように、各規制壁１５ｃにおける端面Ｂの形状を、ハブ１５の軸線Ｓに近づくに従って底板１５ａの内底面に向けて傾斜する斜面（例えば、底板１５ａの内底面に向けて傾斜するテーパ面）に形成する構成を採用することもできる。この構成によれば、ロック部材４がロック解除位置からロック位置に移動する際に、その軸線がハブ１５の軸線Ｓと多少ずれていたとしても、斜面に形成された各規制壁１５ｃの端面（ロック部材４側の端面）Ｂに案内されて、ロック部材４を各規制壁１５ｃ内にスムーズに入り込ませる（嵌め込む）ことができる。したがって、テープリール３をケース本体２内の所定位置に確実に位置決めすることができる。また、規制壁１５ｃをハブ１５の底板１５ａに設ける構成に代えて、規制壁１５ｃをハブ１５の他の内面（例えば内周壁）に配設することもできる。また、規制手段としての規制壁１５ｃをハブ１５側に設ける構成に代えて、規制手段としての規制壁をロック部材４側に設ける構成を採用することもできる。
【００３０】
次いで、本発明に係るテープカートリッジの第２の実施の形態について説明する。なお、第１の実施の形態のテープカートリッジ１と同一の構成要素については同一の符号を付して、重複する説明を省略する。
【００３１】
最初に、テープカートリッジ３１の構成について、図面を参照して説明する。
【００３２】
テープカートリッジ３１は、図９に示すように、ケース本体２、テープリール３２、ロック部材３３、スプリング５、ブレーキ解除板６およびピン部材７（同図では図示せず）を備えており、テープリール３２およびロック部材３３以外の他の構成要素はテープカートリッジ１と同一に構成されている。
【００３３】
ロック部材３３は、同図および図１０に示すように、円板体（円柱状）に形成されると共に、その外周面全体に歯部３３ａ（第２の歯部）が全周に亘って形成されている。言い換えれば、ロック部材３３は、平歯車状に形成されている。なお、ロック部材３３は、その外周面におけるハブ１５の底板１５ａ側の領域にのみ歯部３３ａを形成する構成を採用することもできるし、ハブ１５の底板１５ａ側に円柱体を別体に形成すると共に、この円柱体の外周面に歯部３３ａを全周に亘って形成する構成を採用することもできる。
【００３４】
テープリール３２は、図９に示すように、ハブ３４、上フランジ１６、下フランジ１７および金属板１８を備えている。この場合、ハブ３４の底板１５ａにおける内面（内底面）には、同図および図１０に示すように、円弧状の規制壁３４ａ，３４ａ・・がハブ１５の軸線Ｓを中心とした同一円周上に位置するように複数（一例として３個）配設されている。また、各規制壁３４ａは、ロック部材３３がロック位置に位置する際に、その内周面がロック部材３３の歯部３３ａに対向するようにその高さが規定されると共に、この内周面にロック部材３３の歯部３３ａと噛合する歯部（第１の歯部）３４ｂが形成されている。言い換えれば、各規制壁３４ａは、内歯車状に形成されている。
【００３５】
次に、テープカートリッジ３１の各構成要素の動作について、図面を参照して説明する。
【００３６】
このテープカートリッジ３１では、非使用時において、図９に示すように、ロック部材３３は、スプリング５によって付勢されてブレーキ解除板６を押動しつつハブ３４の底板１５ａ方向に移動して、その歯部３３ａがハブ３４の歯部３４ｂと噛合する位置（ロック位置）に位置している。このため、テープリール３２は、ロック部材３３によってその回転が制止される。したがって、テープリール３２に巻回された磁気テープのケース本体２内における弛みや巻き崩れが防止される。また、ロック部材３３は、ハブ３４の底板１５ａに形成された各規制壁３４ａ内に嵌り込んだ状態にある。したがって、テープカートリッジ３１を誤って落としたことなどに起因してテープカートリッジ３１に外力が加わったときであっても、テープリール３２がロック部材３３に対してハブ３４の半径方向に相対的に移動しない（位置ずれしない）結果、テープリール３２は、ガイド突起１１ａ，１１ａ・・およびロック部材４によって規定されるケース本体２内の所定位置に位置決めされた状態に維持される。
【００３７】
一方、テープカートリッジ３１では、使用時において、記録再生装置の駆動用シャフトによってテープリール３２がチャッキングされる。この際には、上記したようにテープリール３２がガイド突起１１ａ，１１ａ・・およびロック部材３３によって規定されるケース本体２内の所定位置に常に位置決めされているため、駆動用シャフトに対するテープリール３２の芯ズレ量は僅かな値に抑えられる。したがって、テープリール３２は駆動用シャフトによってチャッキング不良の生じない良好な状態でチャッキングされる。また、図１１に示すように、ロック部材３３がロック解除位置に位置している際には、ロック部材３３の外周面Ａと各規制壁３４ａとがハブ１５の軸線Ｓの方向で離間することにより、ロック部材３３と各規制壁３４ａとの嵌り合い状態が解除されると同時に、ロック部材３３の歯部３３ａとハブ３４の歯部３４ｂとの噛合が解除される。この両歯部３３ａ，歯部３４ｂの噛合状態の解除により、テープリール３２が回転可能な状態となる。この後、駆動用シャフトの回転に応じてテープリール３２が回転する。この際には、テープリール３２に巻回された磁気テープが記録再生装置によってテープ引出し口２ａからケース本体２の外部に引き出され、これにより、その磁気テープに対する各種記録データの記録または読み出しが実行される。
【００３８】
また、ケース本体２の外部への磁気テープの引き出しや、ケース本体２の内部への巻き戻しによってテープリール３２が回転した場合、ロック部材３３の外周面Ａと各規制壁３４ａとがハブ３４の軸線Ｓの方向で離間してロック部材３３に対するハブ３４の半径方向へのハブ３４の相対的な移動が許容されている。したがって、この際に、たとえテープリール３２が多少芯ブレしたとしても、テープリール３２とロック部材３３との干渉が確実に回避される。このため、テープリール３２のスムーズな回転が担保される。
【００３９】
このように、このテープカートリッジ３１によれば、非使用状態では、各規制壁３４ａとロック部材３３とが嵌り合うことにより、ロック部材３３およびガイド突起１１ａ，１１ａ・・によって規定されるケース本体２内の所定位置にテープリール３２を常に位置決めすることができる。したがって、テープカートリッジ１と同様にして、テープリール３２および駆動用シャフト間の芯ズレに起因したテープリール３２に対する駆動用シャフトのチャッキング不良を確実に防止することができる。また、各規制壁３４ａをハブ３４の底板１５ａに形成したことにより、テープカートリッジ１と同様にして、ケース本体２およびテープリール３２の強度を十分に確保することができる。一方、使用状態では、ロック部材３３の外周面Ａと各規制壁３４ａとが離間しているために、テープカートリッジ１と同様にして、テープリール３２とロック部材３３との干渉を確実に防止することができる結果、テープリール３２のスムーズな回転を常に担保することができると共に、テープリール３２やロック部材３３の摩耗も回避することができる。
【００４０】
また、上記したテープカートリッジ３１において、図１２に示すように、ロック部材３３におけるハブ３４の底板１５ａ（の内底面）側の部位を円筒状（円筒体）に形成すると共にこの円筒状の部位の内周面Ｃに歯部３３ａ（第２の歯部）を形成し、かつハブ３４の規制壁３４ａの外径をロック部材３３における円筒状の部位内に進入可能に形成すると共に歯部３３ａに対向する外周面Ｄに歯部３４ｂ（第１の歯部）を形成して構成してもよい。つまり、同図中のロック部材３３の下端側部位を内歯車状に形成し、ハブ３４の上端側部位を平歯車状に形成する構成を採用することもできる。この構成では、ロック部材３３をロック位置に位置させる際に、ハブ３４がロック部材３３の円筒状の部位における内周面側の内部に進入して、その外周面Ｄの歯部３４ｂと歯部３３ａとが互いに噛合する。したがって、この構成によっても、上記したテープカートリッジ１，３１と同様の効果を奏することができる。
【００４１】
【発明の効果】
以上のように、本発明に係るテープカートリッジによれば、ハブの内面およびロック部材の少なくとも一方に配設されて、ロック位置に位置する際におけるロック部材に対するハブのその半径方向への相対的な移動を規制すると共に、ロック解除位置に位置する際におけるロック部材に対するハブの半径方向への相対的な移動を許容する規制手段とを備えたことにより、非使用状態においては、規制手段がケース本体内の所定位置にテープリールを常に位置決めすることができる。したがって、記録再生装置の駆動用シャフトに対するテープリールの芯ズレ量を極めて僅かな値に常に抑えることができる結果、例えば縦置きにした記録再生装置に装着した場合であっても、テープリールおよび駆動用シャフト間の芯ズレに起因したテープリールに対する駆動用シャフトのチャッキング不良を確実に防止することができる。また、規制手段をハブの内面およびロック部材の少なくとも一方に配設したことにより、フランジやケースの一部に凹凸を形成する従来のテープカートリッジとは異なり、フランジやケースの一部を肉薄に形成する構成を避けることができる。したがって、ケース本体およびテープリールの強度を十分に確保することができる。一方、使用状態においては、ロック部材と規制手段とがハブの軸線の方向で離間してロック部材に対するハブの半径方向へのハブの相対的な移動を許容することにより、テープリールが多少芯ブレして回転したとしても、テープリールとロック部材との干渉を確実に回避することができる。したがって、テープリールのスムーズな回転を常に担保することができると共に、テープリールやロック部材の摩耗も回避することができる。
【００４２】
また、本発明に係るテープカートリッジによれば、ハブの内面に立設させてロック位置に位置する際のロック部材の外周面に接触して半径方向への相対的な移動を規制する規制壁で規制手段を構成したことにより、従来のテープカートリッジに対して簡単な変更を加えるだけで、規制手段を容易に形成することができる。
【００４３】
また、本発明に係るテープカートリッジによれば、規制壁におけるロック部材側の端面をハブの軸線に近づくに従ってハブの内底面に向けて傾斜する斜面に形成したことにより、ロック部材がロック解除位置からロック位置に移動する際に、その軸線がハブの軸線と多少ずれていたとしても、斜面に形成された各規制壁の端面に案内されて、ロック部材と規制壁とをスムーズに嵌り合わせることができる。したがって、テープリールをケース本体内の所定位置に確実に位置決めすることができる。
【００４４】
また、本発明に係るテープカートリッジによれば、円板体に形成すると共にその外周面に第２の歯部を形成してロック部材を構成し、かつロック部材をロック位置に位置させる際にその内周面が第２の歯部に対向するように形成した規制壁を内部に配設すると共に内周面に第１の歯部を形成してハブを構成したことにより、非使用状態では、第１の歯部および第２の歯部が噛合して規制壁とロック部材とが嵌り合うため、ケース本体内の所定位置にテープリールを常に位置決めすることができる。したがって、記録再生装置の駆動用シャフトに対するテープリールの芯ズレ量を極めて僅かな値に常に抑えることができる結果、例えば縦置きにした記録再生装置に装着した場合であっても、テープリールおよび駆動用シャフト間の芯ズレに起因したテープリールに対する駆動用シャフトのチャッキング不良を確実に防止することができる。また、ハブの内部に規制壁を配設したことにより、フランジやケースの一部に凹凸を形成する従来のテープカートリッジとは異なり、フランジやケースの一部を肉薄に形成する構成を避けることができる。したがって、ケース本体およびテープリールの強度を十分に確保することができる。一方、使用状態では、ロック部材と規制壁とがハブの軸線方向に離間してロック部材に対するハブの半径方向へのハブの相対的な移動を許容することにより、テープリールが多少芯ブレして回転したとしても、テープリールとロック部材との干渉を確実に回避することができる。したがって、テープリールのスムーズな回転を常に担保することができると共に、テープリールやロック部材の摩耗も回避することができる。
【００４５】
また、本発明に係るテープカートリッジによれば、ロック部材における内底面側の端面に円筒体を形成すると共にその内周面に第２の歯部を形成し、かつロック部材をロック位置に位置させる際に円筒体の内部に進入してその外周面が第２の歯部に対向するように形成された規制壁を内部に配設すると共に外周面に第１の歯部を形成してハブを構成したことにより、上記のテープカートリッジと同様にして、テープリールおよび駆動用シャフト間の芯ズレに起因したテープリールに対する駆動用シャフトのチャッキング不良を確実に防止することができる。また、フランジやケースの一部を肉薄に形成する構成を避けることができるため、ケース本体およびテープリールの強度を十分に確保することができる。さらに、使用状態においては、テープリールとロック部材との干渉を確実に回避することができるため、テープリールのスムーズな回転を常に担保することができると共に、テープリールやロック部材の摩耗も回避することができる。
【図面の簡単な説明】
【図１】本発明の第１の実施の形態に係るテープカートリッジ１の分解斜視図である。
【図２】記録再生装置から取り出された状態（ロック部材４によってテープリール３の回転が制止された状態）のテープカートリッジ１の断面図である。
【図３】上ケース１１の内面を示す斜視図である。
【図４】上ケース１１側からハブ１５近傍を見た要部平面図である。
【図５】ハブ１５および下フランジ１７を裏面側（下ケース１２側）から見た斜視図である。
【図６】ロック部材４を下方側（下ケース１２側）から見た斜視図である。
【図７】記録再生装置に装填された状態（ロック部材４によるテープリール３の回転制止が解除された状態）のテープカートリッジ１の断面図である。
【図８】規制壁１５ｃの端面Ｂを斜面（一例としてテーパ面）に形成したときのロック部材４およびハブ１５の要部断面図である。
【図９】記録再生装置から取り出した状態（ロック部材３３によってテープリール３２の回転が制止された状態）の本発明の第２の実施の形態に係るテープカートリッジ３１の断面図である。
【図１０】上ケース１１側からハブ３４近傍を見た要部平面図である。
【図１１】記録再生装置に装填された状態（ロック部材３３によるテープリール３２の回転制止が解除された状態）のテープカートリッジ３１の断面図である。
【図１２】テープカートリッジ３１において、ロック部材３３の下端側部位を内歯車状に形成し、ハブ３４の上端側部位を平歯車状に形成した構成を説明するためのロック部材３３およびハブ３４の要部断面図である。
【符号の説明】
１，３１  テープカートリッジ
２  ケース本体
３  テープリール
４，３３  ロック部材
４ａ，１５ａ，３３ａ，３４ｂ  歯部
６  ブレーキ解除板
１１  上ケース
１２  下ケース
１５，３４  ハブ
１６  上フランジ
１７  下フランジ
１５ｃ，３４ａ  規制壁
【図１】
2004265521.tif 000003
【図２】
2004265521.tif 000004
【図３】
2004265521.tif 000005
【図４】
2004265521.tif 000006
【図５】
2004265521.tif 000007
【図６】
2004265521.tif 000008
【図７】
2004265521.tif 000009
【図８】
2004265521.tif 000010
【図９】
2004265521.tif 000011
【図１０】
2004265521.tif 000012
【図１１】
2004265521.tif 000013
【図１２】
2004265521.tif 000014